(57)【要約】【課題】ストロボコンデンサとストロボ基板の配置を最適化した撮像装置を提供すること。【解決手段】撮影者が手で握りこめるように形状が設けられたグリップ部（３）と胸板部（４）をもち、ストロボユニット（２）を有する撮像装置（１）において、ストロボ基板（６）に実装され、前記ストロボユニット（２）を発光させるために用いられるストロボコンデンサ（５）と、を有し、前記ストロボコンデンサ（５）と前記ストロボ基板（６）は、前記グリップ部（３）内に配置されることを特徴とする。【選択図】図２
2018180141.tif 000002
【特許請求の範囲】
【請求項１】
撮影者が手で握りこめるように形状が設けられたグリップ部の凸形状と胸板部をもち、ストロボユニットを有する撮像装置において、
ストロボ基板に実装され、前記ストロボユニットを発光させるために用いられるストロボコンデンサと、を有し、前記ストロボコンデンサと前記ストロボ基板は、前記グリップ部内に配置され、かつ、前記ストロボコンデンサの端子方向下側、前記ストロボコンデンサと同じ面の前記ストロボ基板にトランスが実装され、前記ストロボコンデンサはホルダーで前記ストロボ基板からスタンドオフされ、前記ストロボコンデンサがスタンドオフされてできた前記ストロボ基板と前記ストロボコンデンサの間の空間に前記ストロボユニットへ接続されるリード線コネクタが実装され、前記リード線コネクタは挿抜方向が前記ストロボ基板面方向であり、ストロボ発光制御ＩＣが前記ストロボ基板に実装されることを特徴とする撮像装置。
【発明の詳細な説明】
【技術分野】
【０００１】
本発明は、デジタル一眼レフカメラに関し、特にストロボ基板の配置に関する。
【背景技術】
【０００２】
従来の撮像装置には、ストロボが内蔵されており、ストロボ発光のためのストロボコンデンサ及びストロボ基板が設けられている。撮像装置を小型にするため、ストロボコンデンサなど撮像装置を構成する要素を、撮像装置内部に如何に配置するかについて、さまざまな提案がなされている。
【０００３】
特許文献１で示されるように基板の切欠きに沿ってストロボコンデンサをレイアウトするといった工夫がなされたストロボ装置が提案されている。
【先行技術文献】
【特許文献】
【０００４】
【特許文献１】特開２０１０−１８１５５２号公報
【発明の概要】
【発明が解決しようとする課題】
【０００５】
撮像装置の小型化が進むにつれ撮像装置本体に占めるストロボコンデンサの割合が大きくなっている。そのため、撮像装置本体の小型化を行うためにはストロボコンデンサとストロボ基板を効率よく配置することが重要となっている。
【０００６】
図６に従来例の撮像装置本体であるデジタル一眼レフカメラ本体１（以下、カメラ本体）の正面図を示す。カメラ本体１にはカメラ本体１を撮影者が持ちやすくするためにグリップ部３が設けられる。撮影者がしっかりとカメラ本体が持つことが可能なように胸板部４が設けられ、撮影者の手で握りこめるようにグリップ部３と胸板部４で凹凸の形状がつけられ、外装カバー１３で形成されている。
【０００７】
図７に従来例の外装部品を取り除いた撮像装置の内部機構の正面図、図８に従来例の撮像装置の底面図を示す。従来の撮像装置のグリップ部３には内蔵ストロボ回路の機能を有したストロボ基板６とストロボコンデンサ５が配置されている。従来は胸板部４全体を覆うようにストロボ基板６を配置し、ストロボ回路以外にもＩＣなどの部品を配置し、回路構成していた。
【０００８】
しかし、胸板部４にストロボ基板６を配置することでストロボ基板６と間隔を設けて外装カバー１３が形成されているために胸板部４が厚くなり、カメラ本体１のホールド感が損なわれ、ホールドしにくくなっていた。また、基板自体が大きくなり、基板コストが高くなってしまっていた。
【０００９】
本発明の目的は、ストロボコンデンサとストロボ基板の配置を最適化した撮像装置を提供することにある。
【課題を解決するための手段】
【００１０】
上記の目的を達成するために、本発明に係る撮像装置は、
撮影者が手で握りこめるように形状が設けられたグリップ部の凸形状と胸板部をもち、ストロボユニットを有する撮像装置において、ストロボ基板に実装され、前記ストロボユニットを発光させるために用いられるストロボコンデンサと、を有し、前記ストロボコンデンサと前記ストロボ基板は、前記グリップ部内に配置され、かつ、前記ストロボコンデンサの端子方向下側、前記ストロボコンデンサと同じ面の前記ストロボ基板にトランスが実装され、前記ストロボコンデンサはホルダーで前記ストロボ基板からスタンドオフされ、前記ストロボコンデンサがスタンドオフされてできた前記ストロボ基板と前記ストロボコンデンサの間の空間に前記ストロボユニットへ接続されるリード線コネクタが実装され、前記リード線コネクタは挿抜方向が前記ストロボ基板面方向であり、ストロボ発光制御ＩＣが前記ストロボ基板に実装されることを特徴とする。
【発明の効果】
【００１１】
本発明によれば、ストロボコンデンサとストロボ基板の配置を最適化した撮像装置を提供することが可能である。
【図面の簡単な説明】
【００１２】
【図１】本発明の第一の実施例である撮像装置の斜視図
【図２】本発明の第一の実施例である外装部品を取り除いた撮像装置の内部機構の正面図
【図３】本発明の第一の実施例であるストロボ基板ユニットの正面図
【図４】本発明の第一の実施例であるストロボ基板ユニットからストロボコンデンサを取り外した状態の正面図
【図５】本発明の第一の実施例であるストロボ基板ユニットからストロボコンデンサとホルダーを取り外した状態の正面図
【図６】従来例の撮像装置の正面図
【図７】従来例の外装部品を取り除いた撮像装置の内部機構の正面図
【図８】従来例の撮像装置の底面図
【発明を実施するための形態】
【００１３】
以下、本発明の好適な実施形態について、添付図面を参照して詳細に説明する。
【実施例１】
【００１４】
図１は、本実施例の撮像装置本体であるデジタル一眼レフカメラ本体１（以下、カメラ本体）の斜視図である。
【００１５】
カメラ本体１上部中央には、カメラ本体１に対してポップアップするカメラ内蔵型のストロボユニット２（ストロボ装置）が設けられている。カメラ内蔵型のストロボユニット２は、被写体に照明光を照射する。本斜視図は、ストロボユニット２が発光位置に移動している状態を示す。ストロボユニット２内部には不図示のトリガーコイルとキセノン管、反射傘が配置され、それぞれトリガーコイルとキセノン管からリード線がストロボユニットからカメラ本体へ引き出されている。また、トリガーコイルと反射傘はリード線接続されている。
【００１６】
図２は、外装部品を取り除いた撮像装置の内部機構の正面図である。
【００１７】
グリップ部にストロボコンデンサ５は配置される。ストロボコンデンサ５は円筒状の形状を有し、ストロボコンデンサ５は、ストロボユニット２を発光させるために用いられる。蓄電手段としてのストロボコンデンサ５は、電解コンデンサであるが、電気二重層コンデンサ等、その他の方式のコンデンサであっても構わない。また、コンデンサ以外の蓄電手段であってもよい。ストロボユニットを発光させるための電力は、ストロボコンデンサ５から供給される。ストロボコンデンサ５は、ストロボコンデンサ５から延びた、正極及び負極の端子となる２対の端子５Ａ、５Ｂがストロボ基板６に実装されている。
【００１８】
ストロボコンデンサ５が実装されたストロボ基板６はカメラ本体のグリップ部３のみに配置される。ストロボ基板６は、ガラスエポキシ樹脂からなる絶縁層と、銅箔による導体層からなる基板である。ストロボ基板６は不図示のフレキシブル配線板でメイン基板と接続され、不図示のメイン基板ＩＣからの発光信号や充電信号が、ストロボ基板６に送られる。また、電源はリード線などを経由してストロボ基板６へ供給される。ストロボ基板６は本体７に位置決めされ、ビス８で固定される。本体７の表面に近接して、外装カバー１３が形成される。
【００１９】
図３は、本発明の第一の実施例であるストロボ基板ユニットの正面図である。図４は、ストロボ基板ユニットからストロボコンデンサを取り外した状態の正面図である。
【００２０】
ストロボコンデンサ５はホルダー９でストロボ基板６から浮かせて保持される。以後スタンドオフと表記する。ホルダー９はストロボ基板６に位置決めされ、ビス固定や接着剤などで固定され、ストロボコンデンサ５はホルダー９に接着剤や両面テープで固定されている。ホルダー９は例として樹脂成型され、ストロボ基板６とホルダー９はショートしないように構成されている。ストロボコンデンサ５がスタンドオフされてできたストロボ基板６とストロボコンデンサ５の間の空間にストロボユニット２へ接続されるリード線コネクタ１０Ａ、１０Ｂがストロボ基板６に実装されている。ストロボユニット２から引き出されたリード線はキセノン管へ電力を供給するコネクタ１０Ａとトリガー信号を送るコネクタ１０Ｂの２種類のストロボ基板６のコネクタへ接続される。コネクタ１０Ａ、１０Ｂはストロボコンデンサ５の下に配置されても挿抜可能な挿抜方向がストロボ基板６面方向の構造のコネクタが配置されている。挿抜方向がストロボ基板６面方向のため容易に組みばらしが可能である。
【００２１】
図５はストロボ基板ユニットからストロボコンデンサ５とホルダー９を取り外した状態の正面図である。
【００２２】
ストロボ基板６とストロボコンデンサ５の間の空間にはストロボ発光制御ＩＣ１１がストロボ基板６に実装されている。ストロボ発光制御ＩＣ１１はメイン基板ＩＣの発光信号や充電信号を受け、ストロボ発光制御部として機能する。
【００２３】
ストロボ基板６とグリップ部３の空間に配置されたストロボコンデンサ５の端子５Ａ、５Ｂ方向の下側、ストロボコンデンサ５と同じ面のストロボ基板６にトランス１２が実装される。ストロボ基板６にはストロボコンデンサ５、コネクタ１０Ａ、１０Ｂ、ストロボ発光制御ＩＣ１１、トランス１２を接続して回路形成するパターンが導体層で形成されている。ストロボ発光制御ＩＣ１１からの信号に基づいて、電源の電圧をトランス１２により昇圧し、高電圧パターンを介してストロボコンデンサ５の充電が行われる。撮影時にストロボ発光が必要な場合、トリガー信号が送られ、ストロボコンデンサ５からストロボユニット２内部のキセノン管へ電力が供給される。
【００２４】
上述の構成により、カメラ本体１のグリップ部３のみにストロボ基板６ユニットを配置することが可能である。そのため、カメラ胸板部４にストロボ基板６を配置することなく、本体７の表面に近いところまで外装カバーを構成することが可能である。カメラとして胸板部４の薄型化が可能であり、カメラ本体１のホールド感を損なうことなく小型化することが可能である。また、ストロボ基板６自体も小型化できるため、基板コストも安く製作することが可能である。
【００２５】
以上、本発明の好ましい実施形態について説明したが、本発明はこれらの実施形態に限定されず、その要旨の範囲内で種々の変形及び変更が可能である。
【符号の説明】
【００２６】
１  デジタル一眼レフカメラ本体、２  ストロボユニット、３  グリップ部、
４  胸板部、５  ストロボコンデンサ、５Ａ  ストロボコンデンサ端子、
５Ｂ  ストロボコンデンサ端子、６  ストロボ基板、７  本体、８  ビス、
９  ホルダー、１０Ａ  コネクタ、１０Ｂ  コネクタ、１１  ストロボ発光制御ＩＣ、
１２  トランス、１３  外装カバー
【図１】
2018180141.tif 000003
【図２】
2018180141.tif 000004
【図３】
2018180141.tif 000005
【図４】
2018180141.tif 000006
【図５】
2018180141.tif 000007
【図６】
2018180141.tif 000008
【図７】
2018180141.tif 000009
【図８】
2018180141.tif 000010